(57)【要約】【課題】セットアップ区間において、走査電極Ｙと維持電極Ｚとの間の電位差を低くして、誤放電を防止することが可能なプラズマディスプレイ駆動装置及びその駆動方法を提供する。【解決手段】本発明のプラズマディスプレイ駆動装置及びその駆動方法は、前面パネルに平行な方向に形成された第１の電極及び第２の電極に駆動波形を印加する第１の電極駆動部及び第２の電極駆動部で構成されるプラズマディスプレイ装置に、前記第２の電極駆動部は、セットアップ区間において、維持電圧以下の所定の大きさを有する第１のバイアス電位を前記第２の電極に印加し、セットアップ区間の間、グランドレベルの電圧を維持電極に印加するものではなく、維持電圧以下の一定の大きさを有する電圧、特に、維持電圧の大きさの略１／２の大きさの電圧を印加する。【選択図】図４
2007128021.tif 000002
【特許請求の範囲】
【請求項１】
前面パネルに並んで形成された第１の電極及び第２の電極に駆動信号を印加する第１の電極駆動部及び第２の電極駆動部を有し、
前記第２の電極駆動部は、セットアップ区間において、維持電圧以下の所定の大きさを有する第１のバイアス電位を前記第２の電極に印加することを特徴とするプラズマディスプレイ装置。
【請求項２】
前記第１のバイアス電位は、維持電圧の略１／２の大きさを有することを特徴とする請求項１に記載のプラズマディスプレイ装置。
【請求項３】
前記第２の電極駆動部は、前記前面パネルに蓄積されたエネルギーを回収するエネルギー回収部を有し、前記エネルギー回収部の出力電圧を前記第１のバイアス電位として前記第２の電極に印加することを特徴とする請求項１に記載のプラズマディスプレイ装置。
【請求項４】
前記エネルギー回収部は、前記前面パネルに蓄積された前記エネルギーを回収して蓄積するソースキャパシタと、パネルキャパシタに接続されたインダクタと、前記インダクタと前記ソースキャパシタとの間に並列接続された第１のスイッチング素子及び第２のスイッチング素子とを備えることを特徴とする請求項３に記載のプラズマディスプレイ装置。
【請求項５】
前記第１のスイッチング素子と前記第２のスイッチング素子は、前記セットアップ区間においてオンされることを特徴とする請求項４に記載のプラズマディスプレイ装置。
【請求項６】
前記第１のバイアス電位は、自由共振が発生して、次第に維持電圧の大きさの略１／２の大きさに収束する波形を有することを特徴とする請求項５に記載のプラズマディスプレイ装置。
【請求項７】
前記第１のバイアス電位は、前記セットアップ区間の開始時、前記第１の電極に印加される駆動電圧と共に印加されることを特徴とする請求項１に記載のプラズマディスプレイ装置。
【請求項８】
前記第２の電極駆動部は、前記第１のバイアス電位をグランド電位に減少させた後、セットダウン期間において、前記第１のバイアス電位よりも大きい第２のバイアス電位を印加することを特徴とする請求項１に記載のプラズマディスプレイ装置。
【請求項９】
前記第２のバイアス電位は、実質的に前記維持電圧と同一の大きさの電圧であることを特徴とする請求項８に記載のプラズマディスプレイ装置。
【請求項１０】
前記第１の電極駆動部は、前記セットアップ区間の間、所定のベース電圧からセットアップ電圧まで上昇する波形を持つパルスを印加することを特徴とする請求項１に記載のプラズマディスプレイ装置。
【請求項１１】
前面パネルに並んで形成された第１の電極及び第２の電極と、前記第１の電極及び第２の電極を介して前記前面パネルに蓄積されたエネルギーを回収／再供給するエネルギー回収部とを有するプラズマディスプレイ装置の駆動方法であって、
セットアップ区間において、漸進的に上昇する電圧を前記第１の電極に印加する第１のステップと、
前記セットアップ区間において、維持電圧以下の所定の大きさを有する第１のバイアス電位を前記第２の電極に印加する第２のステップと
を含むことを特徴とするプラズマディスプレイ装置の駆動方法。
【請求項１２】
前記第１のバイアス電位は、前記維持電圧の略１／２の大きさを有することを特徴とする請求項１１に記載のプラズマディスプレイ装置の駆動方法。
【請求項１３】
前記第２のステップは、前記エネルギー回収部の出力電圧を前記第１のバイアス電位として印加することを特徴とする請求項１１に記載のプラズマディスプレイ装置の駆動方法。
【請求項１４】
前記第１のステップは、前記維持電圧と実質的に同一の大きさの電圧から漸進的に上昇する電圧を印加することを特徴とする請求項１１に記載のプラズマディスプレイ装置の駆動方法。
【請求項１５】
前記第１のステップは、セットアップ電圧まで漸進的に上昇する電圧を印加することを特徴とする請求項１４に記載のプラズマディスプレイ装置の駆動方法。
【請求項１６】
前記第１のバイアス電位は、次第に前記維持電圧の大きさの略１／２の大きさに収束することを特徴とする請求項１１に記載のプラズマディスプレイ装置の駆動方法。
【請求項１７】
前記第２のステップは、前記第１のバイアス電位を、前記第１の電極に印加される駆動電圧と共に印加することを特徴とする請求項１１に記載のプラズマディスプレイ装置の駆動方法。
【請求項１８】
前記第２のステップは、前記第１のバイアス電位を、グランド電位に減少させた後、セットダウン区間において、前記第１のバイアス電位よりも大きい第２のバイアス電位を印加することを特徴とする請求項１１に記載のプラズマディスプレイ装置の駆動方法。
【請求項１９】
前記第２のバイアス電位は、前記維持電圧と実質的に同一の大きさの電圧であることを特徴とする請求項１８に記載のプラズマディスプレイ装置の駆動方法。
【請求項２０】
前面パネルに並んで形成された第１の電極及び第２の電極に駆動パルスを印加する第１の電極駆動部及び第２の電極駆動部を有し、
前記第２の電極駆動部は、セットアップ区間において、第２の電極に第１のバイアス電位を印加し、アドレス期間において、第２のバイアス電位を印加し、
前記第１のバイアス電位と前記第２のバイアス電位との電位差は、実質的に前記維持電圧の１／２以下であることを特徴とするプラズマディスプレイ装置。
【発明の詳細な説明】
【技術分野】
【０００１】
本発明は、プラズマディスプレイ駆動装置及びその駆動方法に関し、特に、セットアップ区間において、維持電極に維持電圧の略１／２の大きさの電圧を印加して誤放電を防止し、セットアップ区間の間、壁電荷を微細かつ均一に調整可能なプラズマディスプレイ駆動装置及びその駆動方法に関する。
【背景技術】
【０００２】
プラズマディスプレイ装置は、上部ガラス基板と下部ガラス基板との間に形成された隔壁が一つの単位セルをなし、各セル内には、ヘリウム−キセノン（Ｈｅ−Ｘｅ）、ヘリウム−ネオン（Ｈｅ−Ｎｅ）などのような不活性ガスが高周波電圧により放電されるとき、真空紫外線（Ｖａｃｕｕｍ Ｕｌｔｒａｖｉｏｌｅｔ Ｒａｙｓ）が発生し、隔壁間に形成された蛍光体を発光させて画像を表示する装置である。このようなプラズマディスプレイ装置は、構造が単純であるため作製が容易であり、外形が薄型であり、低消費電力などの特徴を有しており、最近、次世代のディスプレイ装置として注目されている。
【０００３】
図１は、従来のプラズマディスプレイ駆動装置の駆動パルスを示す波形図であり、図２は、従来のプラズマディスプレイ走査電極駆動装置の構成を示す回路図である。
【０００４】
プラズマディスプレイ装置は、前面パネルに複数の第１の電極及び第２の電極が並んで形成され、背面パネルに前記第１の電極及び前記第２の電極と垂直方向に複数の第３電極が形成される。前記第１から第３の電極は、それぞれマトリックス状に配列されてセルを形成し、所定の波形を有する駆動パルスにより、当該セルでの放電が発生するようになる。
【０００５】
例えば、前記第１の電極が走査電極Ｙであり、前記第２の電極が維持電極Ｚである。また、前記第３の電極がアドレス電極Ｘである。
【０００６】
従来のプラズマディスプレイ装置の前記走査電極Ｙ及び前記維持電極Ｚには、図１に示すような波形を有する駆動パルスが、一つのサブフィールド区間の間、印加される。
【０００７】
一つのサブフィールド区間は、それぞれリセット区間、アドレス区間、維持区間に分けられ、前記リセット区間はさらにセットアップ区間とセットダウン区間に分けられる。
【０００８】
前記セットアップ区間の間、走査電極Ｙに印加する電圧を徐々に上昇させて壁電荷の量を増加させ、前記セットダウン区間の間、前記走査電極Ｙに印加する電圧を徐々に下降させて生成した壁電荷を放電なしに一定の量に減少させる。
【０００９】
このような動作が行われるために、前記走査電極Ｙに印加されるセットアップパルスは、セットアップ区間の間、徐々に上昇する波形（これをランプ上昇波形ともいう）となり、セットダウン区間の間、徐々に下降する波形（これをランプ下降波形ともいう）となる。
【００１０】
前記セットアップパルスの波形は、最初のグランドレベルから勾配をもって徐々に上昇する波形とすることもできるが、実際、リセット放電が必要な部分は、ある程度の高電圧以上で発生するので、最初から急な勾配を持つ波形を供給する必要はない。したがって、従来は、維持電圧Ｖｓをベース電圧として、この電圧レベルから徐々に上昇する波形となるように、セットアップパルスを出力する回路が構成されている。
【００１１】
次に、図２を参照して、このような駆動パルスを出力するプラズマディスプレイ走査電極駆動装置のセットアップ動作について説明する。この図２におけるエネルギー回収部及び維持電圧印加部１０は、プラズマディスプレイ維持電極駆動装置にも共通する部分である。
【００１２】
従来、プラズマディスプレイ駆動装置では、セットアップ区間の間、スイッチング素子Ｓ１がオンされ、維持電圧Ｖｓがスイッチング素子Ｑ２のソース端子に印加される。また、スイッチング素子Ｑ１はオフされ、スイッチング素子Ｑ２はオンされて、ノードＰ１に維持電圧Ｖｓが印加される。以降、スイッチング素子Ｑ１がオンされると、セットアップ電圧Ｖｓｅｔｕｐ及び可変抵抗により、図１のようなセットアップパルスが発生するようになる。
【００１３】
この際、前記セットアップ区間の間、前記維持電極Ｚはグランド電位に維持され、前記走査電極Ｙには維持電圧Ｖｓから徐々に上昇する波形を有するセットアップパルスが印加される。
【００１４】
以降、セットダウン期間では、前記維持電極Ｚに、維持電圧Ｖｓと大きさの同じであるバイアス電位が印加される。
【発明の開示】
【発明が解決しようとする課題】
【００１５】
しかしながら、例えば図３に示すように、前記セットアップ区間の開始時、前記走査電極Ｙに印加される電圧は維持電圧Ｖｓであるため、前記維持電極Ｚに印加されるグランド電位との電圧差により、図３のような誤放電が発生してしまう恐れがあった。なお、図３は、従来のプラズマディスプレイ駆動装置の問題点を示す図である。
【００１６】
また、走査電極Ｙの電位が徐々に上昇する区間でも、走査電極Ｙと維持電極Ｚの電圧差により、誤放電が発生することがあり、これによって、画像のコントラストが悪くなり、または画質の低下が発生するという問題点があった。
【００１７】
さらに、以上のような問題の発生を防止するために、前記走査電極Ｙに印加されるセットアップパルスが維持電圧Ｖｓからではなく、グランド電位から上昇し始めるように構成した場合、電位を所望するレベルまで徐々に上昇させるための時間が長くなるという問題が存在する。また、前記上昇時間を短縮するために、勾配を急に高くすると、急な電圧差による誤放電が発生するという問題点も存在する。
【００１８】
本発明の目的は、セットアップ区間において、走査電極Ｙと維持電極Ｚとの間の電位差を低くして、誤放電を防止することが可能なプラズマディスプレイ駆動装置及びその駆動方法を提供するところにある。
【課題を解決するための手段】
【００１９】
前記の目的を達成するために、本発明によるプラズマディスプレイ駆動装置は、前面パネルに並んで形成された第１の電極及び第２の電極に駆動信号を印加する第１の電極駆動部及び第２の電極駆動部を有し、前記第２の電極駆動部は、セットアップ区間において、維持電圧以下の所定の大きさを有する第１のバイアス電位を前記第２の電極に印加することを特徴とする。
【００２０】
前記第１のバイアス電位は、維持電圧の略１／２の大きさを有するとしてもよい。
【００２１】
本発明によるプラズマディスプレイ駆動装置は、前記第２の電極駆動部が、パネルに蓄積されたエネルギーを回収するエネルギー回収部を有し、前記エネルギー回収部の出力電圧を前記第１のバイアス電位として印加するように構成することもできる。
【００２２】
本発明によるプラズマディスプレイ駆動装置は、前記第１のバイアス電位が、自由共振が発生して、次第に維持電圧の大きさの略１／２の大きさに収束する波形を有するように構成することもできる。
【００２３】
本発明によるプラズマディスプレイ駆動装置は、前記第１のバイアス電位が、セットアップ区間の開始時、前記第１の電極に印加される駆動電圧と実質的に同時に印加されるように構成することもできる。
【００２４】
本発明によるプラズマディスプレイ駆動装置は、前面パネルに並んで形成された第１の電極及び第２の電極に駆動パルスを印加する第１の電極駆動部及び第２の電極駆動部を有し、前記第２の電極駆動部が、セットアップ区間において、第２の電極に第１のバイアス電位を印加し、アドレス期間において、第２のバイアス電位を印加することを特徴とする。前記第１のバイアス電位と前記第２のバイアス電位との差は、実質的に維持電圧の１／２以下であってもよい。
【００２５】
本発明によるプラズマディスプレイ装置の駆動方法は、前面パネルに並んで形成された第１の電極及び第２の電極と、前記第１の電極及び第２の電極を介してパネルに蓄積されたエネルギーを回収／再供給するエネルギー回収部とを有するプラズマディスプレイ装置の駆動方法であって、セットアップ区間において、漸進的に上昇する電圧を前記第１の電極に印加する第１のステップと、前記セットアップ区間において、維持電圧以下の所定の大きさを有する第１のバイアス電位を前記第２の電極に印加する第２のステップとを含むことを特徴とする。
【発明の効果】
【００２６】
本発明によると、セットアップ区間において、走査電極と維持電極との間の電位差を低くして、誤放電を防止するという効果がある。
【００２７】
さらに、前記維持電圧の大きさの略１／２の大きさの電圧は、エネルギー回収部の出力を用いて具現可能であるので、別途の装置が必要なく、費用節減の効果があり、前記出力を用いる場合、自由共振波形が発生して、それによって誤放電防止のマージンを高めるという効果がある。
【発明を実施するための最良の形態】
【００２８】
前記の目的以外に本発明の他の目的及び特徴は、以下に示す添付図面を参照した幾つかの実施形態についての説明を通じて明白に表れる。
【００２９】
（第１の実施形態）
図４は、本発明の第１の実施形態によるプラズマディスプレイ駆動装置における第２の電極駆動部を示す回路図であり、図５は、本発明の第１の実施形態によるプラズマディスプレイ駆動装置の駆動波形及び動作タイミングを示す図であり、図６は、本発明の第１の実施形態による駆動波形の一例を示す図である。
【００３０】
本発明の第１の実施形態によるプラズマディスプレイ装置は、上部基板に並んで形成された第１の電極及び第２の電極と、前記第１の電極及び前記第２の電極に駆動信号を印加する第１の電極駆動部及び第２の電極駆動部と、パネルにおける各セルに蓄積されたエネルギーを回収／再供給するエネルギー回収部とで構成される。
【００３１】
前記第１の電極は走査電極Ｙであり、前記第２の電極は維持電極Ｚである。
【００３２】
前記第１の電極駆動部は、プラズマディスプレイパネルの走査電極Ｙ（第１の電極）に駆動パルスを印加し、前記第２の電極駆動部は、前記第１の電極に印加される駆動パルスの波形に応じて、壁電荷を形成若しくは消去し、または放電を発生させる駆動波形を維持電極Ｚ（第２の電極）に印加する。
【００３３】
本発明の第１の実施形態によるプラズマディスプレイ駆動装置において印加する駆動波形は、一つのサブフィールドにおいて、リセット区間、アドレス区間、維持区間に分けられ、前記リセット区間はさらにセットアップ区間とセットダウン区間に分けられる。
【００３４】
本発明の第１の実施形態によるプラズマディスプレイ駆動装置は、前記セットアップ区間の間、走査電極Ｙ（第１の電極）の電圧を徐々に上昇させて、すなわち徐々に上昇する波形のセットアップパルスを走査電極Ｙ（第１の電極）に印加して、放電セルの内部における壁電荷の量を増加させ、また、前記セットダウン区間の間、走査電極Ｙ（第１の電極）の電圧を徐々に下降させて、すなわち徐々に下降する波形のパルスを走査電極Ｙ（第１の電極）に印加して、前記生成した壁電荷を放電なしに一定の量に減らす。このような動作によって、次の放電に有利な壁電荷分布を放電セルの内部に形成する。
【００３５】
以上のように、徐々に上昇する波形のセットアップパルスは、前記第１の電極駆動部において生成される。ただし、前記第１の電極駆動部は、セットアップ区間の間、所定のベース電圧からセットアップ電圧Ｖｓｔまで徐々に上昇する波形を走査電極Ｙ（第１の電極）に印加する。言い換えれば、本実施形態では、セットアップパルスがオフセットを有する。
【００３６】
前記ベース電圧には、維持区間の間に印加される維持電圧Ｖｓと同一の電圧またはグランド電位を用いることができる。すなわち、前記第１の電極駆動部は、グランド電位または維持電圧Ｖｓと同じ大きさの電圧から前記セットアップ電圧Ｖｓｔまで上昇する波形を前記維持電極Ｚ（第１の電極）に印加する。
【００３７】
前記第２の電極駆動部は、前記セットアップ区間の間、維持電圧Ｖｓ以下の所定の大きさを有する第１のバイアス電位Ｖｂ１を維持電極Ｚ（第２の電極）に印加する。
【００３８】
このように前記第２の電極駆動部は、セットアップ区間の間、グランド電位ではなく、所定の大きさを有する第１のバイアス電位Ｖｂ１を維持電極Ｚ（第２の電極）印加することにより、走査電極Ｙ（第１の電極）に印加されている電圧との差を少なくすることが可能となるため、誤放電が発生することを防止することができる。
【００３９】
本発明の第１の実施形態によるプラズマディスプレイ装置は、前記第１のバイアス電位Ｖｂ１が、維持電圧Ｖｓの略１／２の大きさを有することを特徴とする。
【００４０】
この場合、前記略Ｖｓ／２の電圧は、例えばエネルギー回収部の出力を用いて印加することができる。ただし、これに限定されるものではない。
【００４１】
図４は、本発明の第１の実施形態による第２の電極駆動部の回路図であり、以下、これを参照して説明する。
【００４２】
前記第２の電極駆動部は、エネルギー回収部１００と維持電圧印加部２００とで構成されている。
【００４３】
前記エネルギー回収部１００は、一端がグランドに接続されたソースキャパシタＣｓと、前記維持電圧印加部２００の接点ノードＶｚに接続されたインダクタＬ１と、前記インダクタＬ１と前記ソースキャパシタＣｓとの間に並列接続された第１のスイッチング素子Ｓ１及び第２のスイッチング素子Ｓ２と、前記スイッチング素子Ｓ１及びＳ２にそれぞれ直列接続された複数のダイオードＤ１及びＤ２とで構成されている。
【００４４】
前記維持電圧印加部２００は、維持電圧源Ｖｓと前記維持電圧源Ｖｓに直列接続された第３のスイッチング素子Ｓ３と第４のスイッチング素子Ｓ４を有しており、前記第３スイッチングング素子Ｓ３と第４のスイッチングング素子Ｓ４の接点ノードＶｚに、前記エネルギー回収部１００のインダクタＬ１の一端が接続されている。
【００４５】
また、前記接点ノードＶｚにはパネルキャパシタＰａｎｅｌが接続されており、前記パネルキャパシタＰａｎｅｌと前記インダクタＬ１との間に共振を引き起こすようになる。
【００４６】
前記エネルギー回収部１００のソースキャパシタＣｓには、略Ｖｓ／２の電圧が蓄積されるが、このように構成される第２の電極駆動部に設けられた複数のスイッチング素子Ｓ１からＳ４を制御することにより、セットアップ区間の間、前記ソースキャパシタＣｓの電圧を第１のバイアス電位Ｖｂ１として印加されるようにすることができる。
【００４７】
図５を参照して、スイッチング素子の制御動作について説明する。
【００４８】
前記エネルギー回収部１００に設けられたソースキャパシタＣｓには、パネルキャパシタＰａｎｅｌから回収した電荷が蓄積されている。この結果、ソースキャパシタＣｓの電極間電位差は維持電圧Ｖｓの略１／２、すなわちＶｓ／２の電圧となる。ここで、先ず、セットアップ区間が始まると、前記エネルギー回収部１００に設けられたスイッチング素子Ｓ１とＳ２とがそれぞれオフからオンに切り替えられる。
【００４９】
この際、スイッチング素子Ｓ３はオフが継続され、スイッチング素子Ｓ４はオンからオフに切り替えられる。
【００５０】
このようなスイッチング動作により、セットアップ区間が始まるとともに、維持電極Ｚ（第２の電極）には、ソースキャパシタＣｓに保持されていたＶｓ／２の電圧が、第１のバイアス電位Ｖｂ１として印加される。
【００５１】
この際、走査電極Ｙ（第１の電極）には、維持電圧Ｖｓまたはグランド電位をベース電圧として、セットアップ電圧Ｖｓｔまで、一定の勾配をもって上昇する波形の駆動パルスが印加される。
【００５２】
したがって、セットアップ区間の初期に、走査電極Ｙ（第１の電極）と維持電極Ｚ（第２の電極）との間の電位差はＶｓ／２となるので、従来の場合に比べて、電位差が少なくなり、誤放電が発生する恐れが低減する。
【００５３】
また、このようにセットアップ区間の開始時、前記エネルギー回収部１００のスイッチング動作により、インダクタＬ１を挟むソースキャパシタＣｓとパネルキャパシタＰａｎｅｌとの間で自由共振が発生する。
【００５４】
この場合、前記自由共振の際の最高電位はＶｓ／２よりも高くなり、これによって、前記走査電極Ｙ（第１の電極）と前記維持電極Ｚ（第２の電極）との間の電位差は、さらに低くなるので、効率よく誤放電の発生を防止することができる。
【００５５】
このように維持電極Ｚ（第２の電極）に印加される駆動パルスの波形は、セットアップ区間の初期に共振が発生して、次第にＶｓ／２電圧に収束するようになる。
【００５６】
セットアップ区間の間、前述のようにＶｓ／２の電圧を印加してから、セットアップ区間が終了すると、図４におけるスイッチング素子Ｓ１及びＳ２をオンからオフに切り替え、また、スイッチング素子Ｓ３をオフからオンに切り替えることで、その後のセットダウン区間とアドレス区間との間、維持電極Ｚ（第２の電極）に維持電圧印加部２００から維持電圧Ｖｓを印加する。
【００５７】
ただし、前記セットダウン区間またはアドレス区間の間、維持電圧Ｖｓよりも低い電圧を第１のバイアス電位Ｖｂ１として維持電極Ｚ（第２の電極）に印加することもできる。
【００５８】
また、セットアップ区間が終了する時点ｔ３に図４におけるスイッチング素子Ｓ１及びＳ２をオンからオフに切り替え、スイッチング素子Ｓ３をオフからオンに切り替えると、前記エネルギー回収部１００のソースキャパシタＣｓとパネルキャパシタＰａｎｅｌとの間で自由共振が発生して瞬間的に共振波が形成される。これにより、図６に示すように、維持電極Ｚ（第２の電極）の電位が瞬間的にグランド電位まで落ちる。その後、再度セットダウン区間では、維持電極Ｚ（第２の電極）の電位が、第２のバイアス電位Ｖｂ２としての維持電圧Ｖｓと実質的に同一の大きさの電圧に維持されるようになる。
【００５９】
（第２の実施形態）
本発明の第２の実施形態によるプラズマディスプレイ装置は、前面パネルに並んで形成された第１の電極及び第２の電極に駆動波形を印加する第１の電極駆動部及び第２の電極駆動部で構成され、前記第２の電極駆動部は、セットアップ区間において、第２の電極に第１のバイアス電位Ｖｂ１を印加し、前記第２の電極駆動部は、アドレス期間において、第２のバイアス電位Ｖｂ２を印加するが、前記第１のバイアス電位Ｖｂ１と前記第２のバイアス電位Ｖｂ２との差が、実質的に維持電圧の１／２の大きさ以下であることを特徴とする。
【００６０】
すなわち、前記第１のバイアス電位Ｖｂ１のソースとして、エネルギー回収部１００の出力を利用しない場合は、別途の電源を用いて第１のバイアス電位Ｖｂ１が印加されるようにする。
【００６１】
したがって、エネルギー回収部１００の出力を第１のバイアス電位Ｖｂ１として印加せず、別途の電源を用いており、または、第１のバイアス電位Ｖｂ１がＶｓ／２の電圧ではない場合は、前記第１のバイアス電位Ｖｂ１と前記第２のバイアス電位Ｖｂ２との差が、実質的に維持電圧Ｖｓの大きさの１／２以下となるようにする。
【００６２】
前記第１のバイアス電位Ｖｂ２が、前記第２のバイアス電位Ｖｂ２と維持電圧Ｖｓの略１／２との差以内の値を有すると、上述した第１の実施形態と同様に、前記走査電極Ｙ（第１の電極）に印加される駆動パルスの電位と前記第１のバイアス電位Ｖｂ１との間の電位差が減少するので、誤放電が防止され得る。
【００６３】
若し、前記第１のバイアス電位Ｖｂ１と前記第２のバイアス電位Ｖｂ２との差が、略Ｖｓ／２を超えると、走査電極Ｙ（第１の電極）に、セットアップ区間の初期に印加される電圧と、維持電極Ｚ（第２の電極）に印加される前記第１のバイアス電位Ｖｂ１との電位差が大きくなり、誤放電が発生することがある。
【００６４】
なお、本実施形態によるプラズマディスプレイ装置の他の構成及び他の動作は、第１の実施形態と同様であるため、ここでは詳細な説明を省略する。
【００６５】
図７は、本発明の第１又は第２の実施形態によるプラズマディスプレイ装置における駆動パルスを示す波形図である。
【００６６】
本発明によるプラズマディスプレイ装置では、図７に示すように、前記走査電極Ｙ（第１の電極）に駆動パルス（セットアップパルス）が印加される時点ｔ１の以降の時点ｔ２に、前記維持電極Ｚ（第２の電極）に第１のバイアス電位Ｖｂ１が印加されるようにするか（第２の実施形態）、または、図５に示すように、前記走査電極Ｙ（第１の電極）に駆動パルスが印加される時点と同時に印加されるようにする（第１の実施形態）。
【００６７】
この場合、前記走査電極Ｙ（第１の電極）に駆動パルスが印加される時点と同時に印加させること（ｔ１＝ｔ２）が好ましい。これは、前記エネルギー回収部１００のスイッチングングにより、共振波形が生成され、前記共振波形の第１の最高電位値が、前記駆動パルスが印加される時点と一致するほど、誤放電防止の効果に優れるからである。
【００６８】
図８は、本発明の第１又は第２の実施形態によるプラズマディスプレイ駆動装置の駆動パルスを用いて行った実験から得られた結果を示す波形図である。なお、図８には、実験結果として得られたオシロスコープの画面を示す。
【００６９】
本発明によるプラズマディスプレイ駆動方法は、プラズマディスプレイパネルに印加される駆動波形のセットアップ区間の間、漸進的に上昇する電圧を走査電極Ｙ（第１の電極）に印加する第１のステップと、前記セットアップ区間において、維持電圧以下の所定の大きさを有する第１のバイアス電位Ｖｂ１を維持電極Ｚ（第２の電極）に印加する第２のステップとを含むことを特徴とする。
【００７０】
前記第１のステップは、維持電圧と実質的に同一の大きさの電圧、またはグランド電位から漸進的にセットアップ電圧Ｖｓｔまで上昇する電圧を印加するようになる。
【００７１】
この際、本発明による第１又は第２の実施形態では、前記第２のステップの前記第１のバイアス電位Ｖｂ１が、維持電圧Ｖｓの略１／２の大きさを有するようにする。
【００７２】
若し、他の電圧値を前記第１のバイアス電位Ｖｂ１として用いる場合は、別途の電圧源を備えなければならないが、本発明の第１又は第２の実施形態のようにＶｓ／２を用いる場合は、エネルギー回収部１００の出力値を用いることができるので、別途の装置を構成しなくても具現可能である。
【００７３】
前記エネルギー回収部１００の出力値は、エネルギー回収部１００に設けられたソースキャパシタＣｓの電極の電位である。
【００７４】
したがって、前記第１のバイアス電位Ｖｂ１は、エネルギー回収部１００の出力電圧であることを特徴とする。前記エネルギー回収部１００のソースキャパシタＣｓに電荷が回収されることでソースキャパシタＣｓの電極間に生じる電位差（これを回収電圧値という）は、Ｖｓ／２である。これを、エネルギー回収部１００に設けられたスイッチング素子（図４のＳ１，Ｓ４）を同時にオンさせ、維持電圧源Ｖｓに接続されたスイッチング素子（図４のＳ３，Ｓ４）をオフさせて、出力値を第１のバイアス電位Ｖｂ１として用いる。
【００７５】
前記スイッチングング動作により、エネルギー回収部１００に設けられたインダクタ（図４のＬ１）とパネルキャパシタＰａｎｅｌとの間に共振が発生して、前記スイッチングング動作が引き起こす時点では、共振波形が発生する。
【００７６】
したがって、前記共振波形を用いるために、本発明の第１又は第２の実施形態によるプラズマディスプレイ駆動方法は、走査電極Ｙ（第１の電極）にセットアップパルスが印加されるとともに、維持電極Ｚ（第２の電極）に前記第１のバイアス電位Ｖｂ１が印加されるようにする。
【００７７】
同時に印加される場合、前記第１のバイアス電位Ｖｂ１は、印加開始時点に共振が発生して、次第に維持電圧Ｖｓの大きさの略１／２の大きさに収束する。
【００７８】
この場合、セットアップ区間の初期に発生する自由共振波形を用いて、走査電極Ｙ（第１の電極）と維持電極Ｚ（第２の電極）との間の電位差を少なくして、誤放電を防止することができる。
【００７９】
また、前記セットアップ区間の終了時ｔ３にも、スイッチング素子の動作により共振が発生し、前記第１のバイアス電位Ｖｂ１がグランド電位まで減少され、その以降のセットダウン区間において、第２のバイアス電位Ｖｂ２が印加される。
【００８０】
前記第２のバイアス電位Ｖｂ２は、維持電圧Ｖｓと実質的に同一の大きさを有する電圧である。
【００８１】
以上、本発明によるプラズマディスプレイ駆動装置及びその駆動方法を図面を参照して説明したが、本明細書に開示された実施の形態と図面により本発明が限定されるものではなく、本発明の技術思想が保護される範囲内で当業者によって応用が可能である。
【産業上の利用可能性】
【００８２】
本発明は、ＰＤＰ関連の技術分野に適用可能である。
【図面の簡単な説明】
【００８３】
【図１】従来のプラズマディスプレイ駆動装置の駆動波形を示す図である。
【図２】従来のプラズマディスプレイ走査電極駆動装置の構成を示す回路図である。
【図３】従来のプラズマディスプレイ駆動装置の問題点を示す図である。
【図４】本発明の第１の実施形態によるプラズマディスプレイ駆動装置における第２の電極駆動部を示す回路図である。
【図５】本発明の第１の実施形態によるプラズマディスプレイ駆動装置の駆動波形及び動作タイミングを示す図である。
【図６】本発明の第１の実施形態による駆動波形の一例を示す図である。
【図７】本発明の第１又は第２の実施形態によるプラズマディスプレイ装置における駆動パルスを示す波形図である。
【図８】本発明の第１又は第２の実施形態によるプラズマディスプレイ駆動装置の駆動パルスを用いて行った実験から得られた結果を示す波形図である。
【符号の説明】
【００８４】
１００  エネルギー回収部
２００  維持電圧印加部
Ｖｓ  維持電圧
Ｖｂ１  第１のバイアス電位
Ｖｂ２  第２のバイアス電位
ｔ１  セットアップ区間における走査電極に信号が印加される時点
ｔ２  セットアップ区間における維持電極に信号が印加される時点
【図１】
2007128021.tif 000003
【図２】
2007128021.tif 000004
【図３】
2007128021.tif 000005
【図４】
2007128021.tif 000006
【図５】
2007128021.tif 000007
【図６】
2007128021.tif 000008
【図７】
2007128021.tif 000009
【図８】
2007128021.tif 000010